(57)【特許請求の範囲】
【請求項１】
変圧装置を接続可能な入力端子と、
前記入力端子に入力される電流の電流値を検出する機器電流検出部と、
前記入力端子の電圧値を検出する電圧検出部と、
前記機器電流検出部で検出された電流値と前記電圧検出部で検出された電圧値とに基づき、前記変圧装置の種類を識別する制御部とを備え、
前記制御部は、前記電流検出部で検知される電流値を監視して、所定の電流値を超えた際に電流を発振させる間欠発振制御に移行し、
前記間欠発振制御に移行した際は前記所定の電流値と前記電圧値とにより電力値を算出し、前記電力値に複数の値が含まれている場合と、前記電力値が一定である場合とで、前記変圧装置の種類を識別する、電子機器。
【発明の詳細な説明】
【技術分野】
【０００１】
本願は、電子機器に関する。
【背景技術】
【０００２】
ノートパソコンなどの電子機器は、内蔵された電池から供給される電力、または商用電源からＡＣアダプターを介して供給される電力に基づき動作することができる。ＡＣアダプターは、商用電源の電圧（例えば１００Ｖ）を、ノートパソコンなどの電子機器に対応した電圧（例えば１６Ｖ）に変圧する機器である。
【０００３】
ＡＣアダプターは、商用電源に接続可能な入力端子と、ノートパソコンなどの電子機器に備わる入力端子に接続可能な出力端子とを備えている。出力端子の形状は、電子機器ごとに異なる場合と、種類が異なる電子機器で共通仕様となっている場合とがある。出力端子の形状が、種類が異なる電子機器で共通仕様となっていたとしても、ＡＣアダプターと電子機器とで定格電力などが異なる場合がある。定格が異なるＡＣアダプターを電子機器に接続した場合、電子機器が正常に動作しなかったり、電子機器やＡＣアダプターが故障してしまったりすることがある。したがって、ＡＣアダプターは、それに対応した電子機器に専用的に使用することが好ましい。
【０００４】
上記のように、ＡＣアダプターの誤接続を防止するための方法として、電子機器側において接続されたＡＣアダプターの種類を識別する手段を備える方法がある。通常、ＡＣアダプターの出力端子は、電源端子とグランド端子とを備えているが、ＡＣアダプターにさらに識別端子を備え、電子機器側にさらにＡＣアダプター識別用の端子を備えることで、電子機器においてＡＣアダプターの種類を識別することが可能となる。
【０００５】
特許文献１は、接続されたＡＣアダプターの電圧を検出するための電圧検出端子を備え、電圧検出端子の端子電圧を検出することにより接続されたＡＣアダプターの種類を判別する電源装置を開示している。
【先行技術文献】
【特許文献】
【０００６】
特開平５−８３８６４号公報
【発明の概要】
【発明が解決しようとする課題】
【０００７】
しかしながら特許文献１が開示している構成では、ＡＣアダプター及び電子機器の端子にＡＣアダプターの種類を判別するための専用端子を備えているため、ＡＣアダプターの出力端子や電子機器の入力端子の形状を変更する必要がある。換言すれば、ＡＣアダプターの出力端子や電子機器の入力端子の形状を変更しないと、ＡＣアダプターの種類を識別する構成を実現することができない。
【課題を解決するための手段】
【０００８】
本願の電子機器は、変圧装置を接続可能な入力端子と、前記入力端子に入力される電流の電流値を検出する機器電流検出部と、前記入力端子の電圧値を検出する電圧検出部と、前記機器電流検出部で検出された電流値と前記電圧検出部で検出された電圧値に基づき、前記変圧装置の種類を識別する制御部とを備え、前記制御部は、前記電流検出部で検知される電流値を監視して、所定の電流値を超えた際に電流を発振させる間欠発振制御に移行し、前記間欠発振制御に移行した際は前記所定の電流値と前記電圧値とにより電力値を算出し、前記電力値に複数の値が含まれている場合と、前記電力値が一定である場合とで、前記変圧装置の種類を識別する。
【発明の効果】
【０００９】
本願の開示によれば、ＡＣアダプターや電子機器における端子を増やさずに、ＡＣアダプターの種類を識別することができる。
【図面の簡単な説明】
【００１０】
【図１】本実施の形態にかかる電子機器のブロック図
【図２】本実施の形態にかかるＡＣアダプターのブロック図
【図３】第１のＡＣアダプターの電圧−電流特性図
【図４】第１のＡＣアダプターにおける動作フローを示すフローチャート
【図５】ノートパソコンにおける動作フローを示すフローチャート
【図６】過電流保護機能が作動したときの電流変化を示す特性図
【図７】過電流保護機能が作動したときの電圧変化を示す特性図
【発明を実施するための形態】
【００１１】
（実施の形態）
図１は、本実施の形態にかかる電子機器のブロック図である。図１に示す電子機器は、一例としてノートパソコンの構成を示している。図１に示す電子機器は、ＡＣアダプターを介して供給される電力に基づき動作する機器である。図１に示す電子機器は、ＤＣ入力端子１、電源回路２、負荷３、電圧検出回路４、マイコン５、センス抵抗６、および電流検出回路７を備えている。
【００１２】
ＤＣ入力端子１は、ＡＣアダプターのＤＣ出力端子（後述）を接続可能な端子である。ＤＣ入力端子１には、直流電力が印加される。電源回路２は、ＤＣ入力端子１に印加される直流電力の電圧を負荷３に適した電圧に変換し、負荷３に電力供給する回路である。すなわち、電源回路２は、ＤＣ−ＤＣコンバーターの機能を備えている。負荷３は、中央演算処理装置（ＣＰＵ）３ａ、メモリー３ｂ、ハードディスクドライブ３ｃ、液晶ディスプレイ（ＬＣＤ）３ｄを備えている。なお、負荷３に含まれる構成は、一般的にノートパソコンに内蔵されている構成であり、これらに限定されるものではない。電圧検出回路４は、ＤＣ入力端子１の電圧を検出し、その電圧値をマイコン５に送る回路である。マイコン５は、電圧検出回路４から送られる電圧値と電流検出回路７から送られる電流値とに基づき電力値（定格電力）を算出し、ＡＣアダプターの種類を識別する。センス抵抗６は、ＤＣ入力端子１と電源回路２との間に接続されている。電流検出回路７は、センス抵抗６の入出力間に並列に接続され、センス抵抗６の入出力間の電位差に基づき電流値を検出する。電流検出回路７は、検出した電流値をマイコン５へ送る。
【００１３】
図２は、本実施の形態にかかる変圧装置のブロック図である。本実施の形態では、変圧装置の一例としてＡＣアダプターを挙げた。図２に示すＡＣアダプターは、一例としてノートパソコンに電力供給可能なＡＣアダプターの構成を示している。なお、本明細書において、本実施の形態のＡＣアダプター（図２参照）を「第１のＡＣアダプター」と称する。第１のＡＣアダプターは、例えば電子機器の定格電力よりも低い小電力対応のＡＣアダプターとすることができる。一方、本明細書において、周知の電子機器の定格電力対応のＡＣアダプターを「第２のＡＣアダプター」と称する。
【００１４】
図２に示すＡＣアダプターは、ＡＣ入力端子１１、変圧回路１２、第１の電圧制御回路１３、第２の電圧制御回路１４、スイッチ１５、センス抵抗１６、電流検出回路１７、ＤＣ出力端子１８を備えている。
【００１５】
ＡＣ入力端子１１は、商用電源に接続可能である。ＡＣ入力端子１１には、商用電源から交流電力が入力される。変圧回路１２は、ＡＣ入力端子１１に入力される交流電力の電圧を所定の直流電圧に変圧する回路である。すなわち、変圧回路１２は、ＡＣ−ＤＣコンバーターの機能を備えている。第１の電圧制御回路１３は、変圧回路１２の出力電圧を第１の電圧Ｖａに変圧する回路である。本実施の形態では、第１の電圧Ｖａは１６Ｖとした。第２の電圧制御回路１４は、変圧回路１２の出力電圧を第２の電圧Ｖｂに変圧する回路である。本実施の形態では、第２の電圧Ｖｂは１０Ｖとした。なお、第１の電圧と第２の電圧の値は一例であり、少なくとも異なる値であればよい。スイッチ１５は、電流検出回路１７からの制御により、第１の電圧制御回路１３または第２の電圧制御回路１４に接続される。センス抵抗１６は、スイッチ１５とＤＣ出力端子１８との間に接続され、電流検出回路１７の電流検出に用いられる。電流検出回路１７は、センス抵抗１６の入力側と出力側との間に並列に接続され、センス抵抗１６の入力側と出力側との電位差に基づき電流値を検出する。ＤＣ出力端子１８は、電子機器のＤＣ入力端子１（図１参照）に接続可能である。
【００１６】
図３は、本実施の形態にかかるＡＣアダプターの電流−電圧特性を示す特性図である。具体的には、電流検出回路１７で検出された電流の値と、ＤＣ出力端子１８における電圧の値との関係を示す。図４は、ＡＣアダプターにおける動作フローを示す。図５は、電子機器における動作フローを示す。
【００１７】
以下、電源供給システムの動作を説明する。
【００１８】
まず、ＡＣアダプターのＤＣ出力端子１８と、電子機器のＤＣ入力端子１とを接続する。次に、ＡＣアダプターのＡＣ入力端子１１を商用電源に接続する。次に、電子機器が電力を受けることが可能な状態になると（図４のＳ１におけるＹＥＳ判定）、ＡＣアダプターにはＡＣ入力端子１１を介して電力が供給される。なお、「電子機器が電力を受けることが可能な状態」とは、例えば、電子機器における電源スイッチがオフからオンに切り替えられた状態、電子機器が自身に接続された充電池を充電することが可能な状態、電子機器における負荷電流や負荷状態が変わった状態などがある。本実施の形態では、当該状態の一例として、電子機器の電源スイッチがオフからオンに切り替えられた状態としている。
【００１９】
変圧回路１２は、ＡＣ入力端子１１に入力される電力の電圧を所定の電圧に変圧する。第１の電圧制御回路１３は、変圧回路１２の出力電圧を第１の電圧Ｖａに変圧する。第２の電圧制御回路１４は、変圧回路１２の出力電圧を第２の電圧Ｖｂに変圧する。なお、スイッチ１５は、電源スイッチがオフからオンに切り替えられたとき、第２の電圧制御回路１４側から第１の電圧制御回路１３側に切り替えるため、スイッチ１５の出力端子における電圧は１６Ｖとなる。したがって、ＤＣ出力端子１８における電圧も１６Ｖとなる。
【００２０】
次に、電流検出回路１７は、センス抵抗１６の両端の電位差に基づき電流を検出する（図４におけるＳ２）。このとき、電流検出回路１７は、図３に示す特性図に基づき、スイッチ１５の切り替え動作を制御する（図４におけるＳ３）。すなわち、電流検出回路１７は、検出した電流値ＩDETと所定電流値ＩREFとを比較し、電流値ＩDETが所定電流値Ｉｂよりも低い場合は、第２の電圧制御回路１４側に接続するようスイッチ１５を制御し（図４におけるＳ５）、電流値ＩDETが所定電流値ＩREFを越えた場合は、第１の電圧制御回路１３側に接続するようスイッチ１５を制御する（図４におけるＳ４）。なお、「所定電流値ＩREF」は、例えば１００ｍＡとした。
【００２１】
電子機器の電源スイッチがオフからオンに切り替えられて以降、ＡＣアダプター内を流れる電流の値は徐々に上昇する。電流検出回路１７は、検出している電流値ＩDETと所定電流値ＩREFとを比較し続け、電流値ＩDETが所定電流値ＩREFを越えると（図４のＳ３におけるＹＥＳ判断）スイッチ１５を第１の電圧制御回路１３側へ切り替えるよう制御する（図４におけるＳ４）。図３に示す特性図では、電流値ＩDETが所定電流値ＩREFに達するとスイッチ１５を第１の電圧制御回路１３側へ切り替えるため、ＤＣ出力端子１８における電圧は第１の電圧（１６Ｖ）となる。
【００２２】
すなわち、本実施の形態のＡＣアダプターは、電子機器の電源がオフからオンに切り替えられた場合、ＤＣ出力端子１８の電圧が、まず第２の電圧Ｖｂとなり、その後第２の電圧Ｖｂとは異なる第１の電圧Ｖａに変化する。なお、従来のＡＣアダプターでは、電子機器の電源がオフからオンに切り替えられた場合、ＤＣ出力端子の電圧は本実施の形態のように複数の電圧値に変化する構成ではなく、一つの電圧値（例えば１６Ｖ）となっていた。
【００２３】
次に、電子機器のＤＣ入力端子１には、図３に示すように変化する電圧及び電流に基づく電力が入力される。電源回路２は、ＤＣ入力端子１に入力される電力を負荷３に含まれる各種デバイスに供給する（図５におけるＳ１１）。
【００２４】
一方、電圧検出回路４は、ＤＣ入力端子１における電圧を検出し、電圧値をマイコン５へ送る（図５におけるＳ１２）。また、電流検出回路７は、センス抵抗６の両端の電位差に基づき電流値を検出し、検出した電流値をマイコン５へ送る（図５におけるＳ１３）。マイコン５は、電圧検出回路４から送られる電圧値と電流検出回路７から送られる電流値とを乗算して、電力値を算出する（図５におけるＳ１４）。
【００２５】
ここで、電子機器に第１のＡＣアダプターが接続されている場合、電圧検出部４が検出する電圧値は、図３に示すような電圧特性（第２の電圧Ｖｂが存在する特性）となる。また、電子機器に第２のＡＣアダプターが接続されている場合、電圧検出部４が検出する電圧値は、第１の電圧値Ｖａで一定となる（つまり第２の電圧Ｖｂが存在しない）。このような電圧値に基づきマイコン５が算出する電力値は、第１のＡＣアダプターを接続したときと第２のＡＣアダプターを接続したときとで、異なる特性となる。よって、マイコン５は、算出した電力値の特性を参照することで、ＡＣアダプターの種類を判別することができる（図５におけるＳ１５）。
【００２６】
なお、ＤＣ入力端子１にＡＣアダプターを接続した直後は、電子機器が軽負荷状態であるため、電流検出部７はＡＣアダプターの正確な定格電流を把握することができない。つまり、ＡＣアダプターの定格電流を把握するためには、電子機器を過負荷状態にしなければならない。そこで本実施の形態では、マイコン５において電流検出部７で検出される電流値を監視し、電子機器の過電流保護機能が作動するときの電流値をＡＣアダプターの定格電流として把握している。図６は、電流値の変化を示す特性図である。図７は、電圧値の変化を示す特性図である。図６に示すように、電子機器は、ＡＣアダプターから定格値（本実施の形態では一例として３アンペア）を超えた電流を引き続けると過電流保護機能が作動し、電流値の上昇を抑えるために間欠発振制御に移行する。これに伴い、図７に示すように電圧も間欠発振となる。本実施の形態では、マイコン５が、過電流保護機能が作動するときの電流値をＡＣアダプターの定格電流として把握している。さらに具体的には、マイコン５は、過電流保護機能が作動して電圧及び電流が一時的に低下する直前の電流値を、ＡＣアダプターの定格電流として把握している。このように、電圧及び電流の低下を検出して定格電流を把握する構成とすることにより、マイコン５に記憶する電流値の情報量が少なくてすむため、マイコン５における記憶領域を小型化することができ、コストダウンを図ることができる。なお、本実施の形態では電圧及び電流の低下を検出して定格電流を把握する構成としたが、マイコン５における記憶領域が大きい場合は、電流検出部７において所定時間毎（例えば１秒毎）に電流値を検出し、検出した電流値をマイコン５で記憶する構成とすることができる。
【００２７】
マイコン５は、第１のＡＣアダプターが接続されたと判断すると、負荷３における動作制限や機能制限を行う。すなわち、負荷３における小電力で動作可能な機能のみ実行可能なように制御する。また、マイコン５は、第２のＡＣアダプターが接続されたと判断すると、負荷３における動作制限や機能制限は行わない。すなわち、負荷３におけるすべての機能を実行可能なように制御する。なお、本実施の形態では、ＡＣアダプターの識別結果に応じて負荷３の動作制御を行う構成としたが、これは一例である。識別結果に応じた負荷３の制御は、必須ではない。
【００２８】
本実施の形態によれば、電子機器が電力を受けることが可能な状態になると、ＡＣアダプターの出力電圧が第２の電圧Ｖｂから第１の電圧Ｖａに変化するようにし、電子機器においてその電圧値及び電流値に基づきＡＣアダプターの定格電力を検出可能な構成としたことにより、ＤＣ入力端子１及びＤＣ出力端子１８に新たに接点を追加することなく、ＡＣアダプターの定格を検出可能な構成を実現することができる。したがって、電子機器及びＡＣアダプターにおける電源端子の仕様を変更することなく、実現することができる。
【００２９】
また、本実施の形態によれば、電子機器における過電流保護機能が作動したときの電流値を検出する構成としたことにより、マイコン５に記憶させる電流値の情報量を少なくすることができ、マイコン５における記憶領域を小さくすることができる。
【００３０】
なお、本実施の形態では、電子機器が電力を受けることが可能な状態になるとＡＣアダプターの出力電圧を第２の電圧から第１の電圧へ変化させる構成としたが、ＡＣアダプターにおける過電流保護動作時に電圧を変化させる構成としてもよい。
【００３１】
本実施の形態におけるＡＣアダプターは、変圧装置の一例である。本実施の形態におけるノートパソコンは、電子機器の一例である。本実施の形態におけるＡＣアダプターとノートパソコンとを備えたシステムは、電力供給システムの一例である。本実施の形態におけるＡＣ入力端子１１は、変圧装置における入力端子の一例である。本実施の形態における第１の電圧制御回路１３は、第１の電圧制御部の一例である。本実施の形態における第２の電圧制御回路１４は、第２の電圧制御部の一例である。本実施の形態におけるスイッチ１５は、切替部の一例である。本実施の形態におけるセンス抵抗１６及び電流検出回路１７は、電源電流検出部の一例である。本実施の形態におけるＤＣ出力端子１８は、出力端子の一例である。本実施の形態におけるＤＣ入力端子１は、電子機器における入力端子の一例である。本実施の形態における電圧検出回路４は、電圧検出部の一例である。本実施の形態におけるマイコン５は、制御部の一例である。本実施の形態における負荷３は、負荷の一例である。本実施の形態におけるセンス抵抗６及び電流検出回路７は、機器電流検出部の一例である。
【産業上の利用可能性】
【００３２】
本願は、電子機器に有用である。特に、ＡＣアダプターを接続可能な電子機器に有用である。
【符号の説明】
【００３３】
１  ＤＣ入力端子
２  電源回路
３  負荷
４  電圧検出回路
５  マイコン
６  センス抵抗
７  電流検出部
１１  ＡＣ入力端子
１２  変圧回路
１３  第１の電圧制御回路
１４  第２の電圧制御回路
１５  スイッチ
１６  センス抵抗
１７  電流検出回路
１８  ＤＣ出力端子
【図１】
0005552383.tif 000002
【図２】
0005552383.tif 000003
【図３】
0005552383.tif 000004
【図４】
0005552383.tif 000005
【図５】
0005552383.tif 000006
【図６】
0005552383.tif 000007
【図７】
0005552383.tif 000008